(57)【要約】【課題】確実にサイホン作用を生じる水洗式便器の前後長を短くする。【解決手段】排水接続管は、便器本体１の便鉢２に形成された第１の水封部４ａに連通する便器排水口２ｄから、床面Ｆから立ち上げられた床排水管７０に形成された床排水口７０ａまで延びる排水流路を構成するものである。排水接続管の接続管本体６５は第１下降流路６５ａと再上昇流路６５ｂと第２下降流路６５ｃとを備えている。第１下降流路６５ａ、再上昇流路６５ｂ及び第２下降流路６５ｃは、第１位置Ａ及び第２位置Ｃの位置関係を満たしながら、渦巻き状になっている。【選択図】図４
2008266945.tif 000002
【特許請求の範囲】
【請求項１】
便器本体の便鉢に形成された水封部に連通する便器排水口から、床面から立ち上げられた床排水管に形成された床排水口まで延びる排水流路を構成する排水接続管であって、
前記便器排水口と連通する上流口から設置時に該上流口より低い第１位置の第１連通口まで延び、該排水流路の一部とされる第１下降流路と、
該第１連通口と接続される第１被連通口から設置時に該第１被連通口より高い第２位置の第２連通口まで延び、該排水流路の一部とされる上昇流路と、
該第２連通口と接続される第２被連通口から前記床排水口と接続される下流口まで延び、該排水流路の残部とされる第２下降流路とを備え、
該第１下降流路、該上昇流路及び該第２下降流路は、該第１位置及び該第２位置の位置関係を満たしながら、渦巻き状になっていることを特徴とする排水接続管。
【請求項２】
前記第２位置における前記第２連通口及び前記第２被連通口の下端と、前記第１位置における前記第１連通口及び前記第１被連通口の上端とは、設置時に同一水平位置又は前者が後者より上方に位置している請求項１記載の排水接続管。
【請求項３】
前記第１下降流路と前記上昇流路の上流側とは、一端に前記上流口が形成され、前記第１連通口及び前記第１被連通口を経て、他端に接続口が形成された上流管により構成され、
該上昇流路の下流側と前記第２下降流路とは、一端に該接続口と接続される被接続口が形成され、前記第２連通口及び前記第２被連通口を経て、他端に前記下流口が形成された下流管により構成されている請求項１又は２記載の排水接続管。
【請求項４】
前記第１下降流路の上流側は、一端に前記上流口が形成され、他端に接続口が形成された上流管により構成され、
該第１下降流路の下流側と前記上昇流路と前記第２下降流路とは、一端に該接続口と接続される被接続口が形成され、前記第１連通口及び前記第１被連通口並びに前記第２連通口及び前記第２被連通口を経て、他端に前記下流口が形成された下流管により構成されている請求項１又は２記載の排水接続管。
【請求項５】
前記便器本体は、前記便鉢の下端に形成された流入口から、設置時に該流入口より高い位置の前記便器排水口まで延びる上昇流路を有し、
該便器排水口と前記上流口との間には、該便器排水口と接続される第１案内口から前記上流口と接続される第２案内口まで延び、設置時に下り傾斜する案内流路が備えられている請求項１乃至４のいずれか１項記載の排水接続管。
【請求項６】
前記案内流路は、一端に前記第１案内口が形成され、他端に前記第２案内口が形成された案内管により構成されている請求項５記載の排水接続管。
【請求項７】
前記案内管と前記上流管との間には、前記第１下降流路にオリフィスを形成するオリフィス部材が設けられている請求項６記載の排水接続管。
【請求項８】
前記便器排水口は後方に向けて形成されている請求項５乃至７のいずれか１項記載の排水接続管。
【請求項９】
前記案内流路は前記便鉢から遠ざかる方向に延びている請求項５乃至８のいずれか１項記載の排水接続管。
【請求項１０】
前記第１下降流路は前記便鉢から遠ざかる方向に延びている請求項９記載の排水接続管。
【請求項１１】
前記上流口及び前記下流口は、設置時に前記便器本体の前後方向に整列している請求項１乃至１０のいずれか１項記載の排水接続管。
【請求項１２】
前記上流口及び前記下流口は、設置時に上方から見て同心である請求項１１記載の排水接続管。
【請求項１３】
前記第２下降流路には、手洗器からの排水管が接続されるようになっている請求項１乃至１２記載の排水接続管。
【発明の詳細な説明】
【技術分野】
【０００１】
本発明は排水接続管に関する。
【背景技術】
【０００２】
特許文献１開示の洋風水洗式便器の便器本体は、通常のように、便鉢の下端に形成された流入口が便鉢の裏面で後方に向かって延びる上昇流路に連通している。また、この便器本体では、上昇流路の最高位部と連通する上流口から設置時に上流口より低い第１位置の第１連通口までは第１下降流路が延ばされ、第１連通口と接続される第１被連通口から設置時に第１被連通口より高い第２位置の第２連通口までは再上昇流路が延ばされ、第２連通口と接続される第２被連通口から床排水口と接続される下流口までは第２下降流路が延ばされている。第２下降流路の下流口が便器本体の便器排水口とされている。
【０００３】
一方、その洋風水洗式便器が据え置かれる床面には、上端に床排水口をもつ床排水管が立ち上げられる。便器本体の便器排水口と床排水管の床排水口とが接続される。
【０００４】
この洋風水洗式便器の便器本体では、上昇流路によって洗浄水が封水となる水封部が便鉢に形成されるとともに、再上昇流路によって洗浄水が滞留する滞留部が形成される。このため、便鉢内に供給される洗浄水と、第１下降流路内の空気の吸引とによって排水流路内が早期に満水になりやすく、水封部に確実にサイホン作用を生じ、水封部内の汚物は、便器本体の上昇流路、第１下降流路、再上昇流路及び第２下降流路を経て便器排水口に至り、床排水口から床排水管に排出されることとなる。
【０００５】
【特許文献１】特開平７−４２２１７号公報
【発明の開示】
【発明が解決しようとする課題】
【０００６】
しかし、上記従来の洋風水洗式便器では、第１下降流路、再上昇流路及び第２下降流路が便器本体の前後方向に整列している。このため、この洋風水洗式便器は、前後長が長くなり、大型化してトイレスペースを狭小化してしまう。
【０００７】
また、この洋風水洗式便器では、第１下降流路の上流口と床排水口とが近い場合、便器本体の上面を上方に位置させて第１下降流路、再上昇流路及び第２下降流路を収納せざるを得ず、便器本体が高くなって使用者の使用を困難にしてしまう。
【０００８】
本発明は、上記従来の実情に鑑みてなされたものであって、確実にサイホン作用を生じる水洗式便器について、前後長を短くするとともに、高さを抑制することを解決すべき課題としている。
【課題を解決するための手段】
【０００９】
本発明の排水接続管は、便器本体の便鉢に形成された水封部に連通する便器排水口から、床面から立ち上げられた床排水管に形成された床排水口まで延びる排水流路を構成する排水接続管であって、
前記便器排水口と連通する上流口から設置時に該上流口より低い第１位置の第１連通口まで延び、該排水流路の一部とされる第１下降流路と、
該第１連通口と接続される第１被連通口から設置時に該第１被連通口より高い第２位置の第２連通口まで延び、該排水流路の一部とされる上昇流路と、
該第２連通口と接続される第２被連通口から前記床排水口と接続される下流口まで延び、該排水流路の残部とされる第２下降流路とを備え、
該第１下降流路、該上昇流路及び該第２下降流路は、該第１位置及び該第２位置の位置関係を満たしながら、渦巻き状になっていることを特徴とする。
【００１０】
本発明の排水接続管によれば、水洗式便器は、便器本体の便鉢に水封部が形成されるとともに、排水接続管の第１下降流路と上昇流路とによって排水流路内に滞留部が形成される。このため、便鉢内に供給される洗浄水と、第１下降流路内の空気の吸引とによって排水流路内が早期に満水になりやすく、水封部に確実にサイホン作用を生じ、水封部内の汚物は、便器本体の便器排水口並びに排水接続管の上流口、第１下降流路、第１連通口、第１被連通口、上昇流路、第２連通口、第２被連通口及び第２下降流路を経て下流口に至り、床排水口から床排水管に排出されることとなる。
【００１１】
ここで、この水洗式便器は、第１下降流路、上昇流路及び第２下降流路が第１位置及び第２位置の位置関係を満たしながら、渦巻き状になっている。すなわち、第１下降流路、上昇流路及び第２下降流路はとぐろを巻いている。このため、水洗式便器は前後長が従来よりも短くなる。
【００１２】
また、この洋風水洗式便器では、第１下降流路の上流口と床排水口とが近くても、便器本体の上面を上方に位置させるまでもなく、第１下降流路、上昇流路及び第２下降流路を収納できる。
【００１３】
したがって、本発明の排水接続管によれば、確実にサイホン作用を生じる水洗式便器の前後長を短くできるとともに、高さを抑制することができる。このため、トイレスペースの広大化を実現することができるとともに、使用者の容易な使用を確保可能である。
【００１４】
本発明の排水接続管は、便器本体と一体であってもよいが、別体であることが好ましい。排水接続管が便器本体と一体であれば、便器本体自体が水封部ばかりでなく、第１下降流路、上昇流路及び第２下降流路を有することとなり、便器本体が複雑となり、製造コストが高騰化してしまう。この点、排水接続管が便器本体と別体であれば、便器本体自体は、水封部に連通する便器排水口だけを有すれば足り、便器本体が簡易になり、製造コストの低廉化を実現できる。
【００１５】
本発明の排水接続管においては、第２位置における第２連通口及び第２被連通口の下端と、第１位置における第１連通口及び第１被連通口の上端とは、設置時に同一水平位置又は前者が後者より上方に位置していることが好ましい。この場合、排水流路内に第１下降流路と上昇流路とによって封水が形成されることから、水封部と封水との間が閉鎖空間となり、第１下降流路内の空気の吸引によって便鉢の水封部により一層確実にサイホン作用を生じ易くなる。
【００１６】
本発明の排水接続管は、第１下降流路、上昇流路及び第２下降流路を１本の管体によって構成してもよく、複数本の管体によって構成してもよい。管体は樹脂のブロー成形や射出成形によって製造可能である。複数本の管体によって排水接続管を構成した方が製造が容易である。
【００１７】
第１の手段として、第１下降流路と上昇流路の上流側とは、一端に上流口が形成され、第１連通口及び第１被連通口を経て、他端に接続口が形成された上流管により構成されることが好ましい。同時に、上昇流路の下流側と第２下降流路とは、一端に接続口と接続される被接続口が形成され、第２連通口及び第２被連通口を経て、他端に下流口が形成された下流管により構成されることが好ましい。この場合、上流管と下流管とを直線状に接続できるため、上流管と下流管との接続を確実に行うことができる。
【００１８】
また、第２の手段として、第１下降流路の上流側は、一端に上流口が形成され、他端に接続口が形成された上流管により構成されることが好ましい。同時に、第１下降流路の下流側と上昇流路と第２下降流路とは、一端に接続口と接続される被接続口が形成され、第１連通口及び第１被連通口並びに第２連通口及び第２被連通口を経て、他端に下流口が形成された下流管により構成されることが好ましい。この場合も、上流管と下流管とを直線状に接続できるため、上流管と下流管との接続を確実に行うことができる。
【００１９】
さらに、第３の手段として、第１下降流路と上昇流路と第２下降流路の上流側とは、一端に上流口が形成され、第１連通口及び第１被連通口並びに第２連通口及び第２被連通口を経て、他端に接続口が形成された上流管により構成されることが好ましい。同時に、第２下降流路の下流側は、一端に接続口と接続される被接続口が形成され、他端に下流口が形成された下流管により構成されることが好ましい。この場合も、上流管と下流管とを直線状に接続できるため、上流管と下流管との接続を確実に行うことができる。
【００２０】
第１〜３の手段の場合、上流管と下流管とは接続口及び被接続口で分割されることとなるが、第２、３の手段の場合には、接続口及び被接続口が滞留水と接触しないようにすることができることから、洗浄水が接続口及び被接続口から漏れることを防止することができる。
【００２１】
本発明の排水接続管においては、便器本体は、便鉢の下端に形成された流入口から、設置時に流入口より高い位置の便器排水口まで延びる上昇流路を有し得る。そして、排水接続管は、便器本体の便器排水口と排水接続管の上流口との間に、便器排水口と接続される第１案内口から上流口と接続される第２案内口まで延び、設置時に下り傾斜する案内流路が備えられ得る。この場合、便器本体をより簡易なものとすることができる。
【００２２】
便器本体が上昇流路を有する場合、本発明に係る排水接続管の上昇流路は、再上昇流路となる。
【００２３】
案内流路は、一端に第１案内口が形成され、他端に第２案内口が形成された案内管により構成され得る。この場合、排水接続管は案内管を有することとなる。例えば、排水接続管は、案内管、上流管及び下流管からなり得る。この場合、便器本体に案内管を固定するとともに、上流管と下流管とを床面に施工した後、便器本体及び案内管を床面に載置することにより、案内管を上流管に容易に接続することが可能になる。
【００２４】
案内管と上流管との間には、第１下降流路にオリフィスを形成するオリフィス部材が設けられていることが好ましい。この場合、便器本体の水封部にサイホン作用をより生じさせるオリフィス部材を容易に排水流路に設けることが可能になる。
【００２５】
便器本体の便器排水口は後方に向けて形成されていることが好ましい。この場合、便器排水口と排水接続管とを容易に接続することが可能である。
【００２６】
案内流路は便鉢から遠ざかる方向に延びていることが好ましい。この場合、水封部内の洗浄水が上昇流路及び便器排水口を経て加速度をもって案内流路に至る。また、第１下降流路も便鉢から遠ざかる方向に延びていることが好ましい。この場合、水封部内の洗浄水が上昇流路、便器排水口及び案内流路を経て加速度をもって第１下降流路に至る。これにより、汚物が排出され易くなる。
【００２７】
排水接続管の上流口及び下流口は、設置時に便器本体の前後方向に整列していることが好ましい。この場合、水洗式便器の横幅を小さくすることが可能である。
【００２８】
上流口及び下流口は、設置時に上方から見て同心であることがより好ましい。この場合、水洗式便器の前後長がより一層短くなる。
【００２９】
第２下降流路には、手洗器からの排水管が接続されるようになっていることが可能である。この場合、排水管内の汚水を排出するための配管が不要であるとともに、その汚水が滞留することなく、好適に排出されることとなる。
【発明を実施するための最良の形態】
【００３０】
以下、本発明の排水接続管を洋風水洗式便器に具体化した実施例１、２を図面を参照しつつ説明する。
【実施例１】
【００３１】
実施例１の洋風水洗式便器は、図１に示すように、便器本体１と、便器洗浄装置１００と、吸気装置２００とを備えている。なお、便座及び便蓋の図示は省略する。
【００３２】
便器本体１は、便鉢２の上部内周にリム３を有している。また、便器本体１は、便鉢２の下端に形成された流入口２ａが便鉢２の裏面で後方に延びる上昇流路２ｂに連通している。上昇流路２ｂは設置時に流入口２ａより高い最高位部２ｃに位置する便器排水口２ｄまで延びている。こうして、便鉢２の下方には水封部４が形成されている。
【００３３】
便器本体１の便器排水口２ｄは水平後方に開口しており、便器排水口２ｄ回りにはパッキン６１が設けられ、パッキン６１は案内管６２に挿入している。
【００３４】
案内管６２は水平方向から鉛直下方向に湾曲しており、内部は下り傾斜する案内流路６２ａとされている。案内流路６２ａは便鉢２から遠ざかる方向に延びている。案内管６２の上端は便器排水口２ｄと接続される第１案内口６２ｃとされており、案内管６２の下端は後述する接続管本体６５の上流口６３ａと接続される第２案内口６２ｄとされている。また、案内管６２には、上方に延びて吸気装置２００の吸引タンク２０１と接続される筒部６２ｂが形成されている。
【００３５】
案内管６２の下端に接続管本体６５が接続されている。実施例１の排水接続管は案内管６２と接続管本体６５とからなる。接続管本体６５は上流管６３と下流管６４とからなる。
【００３６】
上流管６３は、図２〜４に示すように、上端に水平に開口する上流口６３ａが形成され、上流口６３ａから設置時に上流口６３ａより低い第１位置Ａの第１連通口６３ｂまで延び、第１連通口６３ｂと一体の第１被連通口６３ｃで湾曲して他端に斜め上方に開口する接続口６３ｄが形成されたものである。接続口６３ｄは、上流管６３の設置時、第１連通口６３ｂ及び第１被連通口６３ｃより高い中間位置Ｂに位置する。
【００３７】
下流管６４は、一端に斜め下方に開口する被接続口６４ａが形成され、被接続口６４ａから設置時に中間位置Ｂより高い第２位置Ｃの第２連通口６４ｂまで延び、第２連通口６４ｂと一体の第２被連通口６４ｃで湾曲して他端で下方に開口する下流口６４ｄが形成されたものである。
【００３８】
上流管６３と下流管６４とは、接続口６３ｄ及び被接続口６４ａ回りに設けた接続部材６６によって一体に接続され、接続管本体６５とされている。この接続管本体６５は、上流口６３ａから第１連通口６３ｂ及び第１被連通口６３ｃまで延びる第１下降流路６５ａと、第１連通口６３ｂ及び第１被連通口６３ｃから第２連通口６４ｂ及び第２被連通口６４ｃまで延びる再上昇流路６５ｂと、第２連通口６４ｂ及び第２被連通口６４ｃから下流口６４ｄまで延びる第２下降流路６５ｃとを内部に備えている。第１下降流路６５ａは便鉢２から遠ざかる方向に延びている。
【００３９】
第１下降流路６５ａと再上昇流路６５ｂの上流側とが上流管６３により構成され、再上昇流路６５ｂの下流側と第２下降流路６５ｃとが下流管６４により構成されている。そして、第１下降流路６５ａ、再上昇流路６５ｂ及び第２下降流路６５ｃは、図２及び図３に示すように、とぐろを巻いている。すなわち、第１下降流路６５ａ、再上昇流路６５ｂ及び第２下降流路６５ｃは、第１位置Ａ及び第２位置Ｃの位置関係を満たしながら、渦巻き状になっている。ここでは、第１下降流路６５ａ、再上昇流路６５ｂ及び第２下降流路６５ｃは、上方から見た場合、同一方向に湾曲している。
【００４０】
また、図１及び図４に示すように、上流管６３の上流口６３ａ及び下流管６４の下流口６４ｄは、設置時に上方から見て同心になっている。また、図４に示すように、第２下降流路６５ｃには、トイレスペース内に設けられる図示しない手洗器からの排水管６９が接続されている。
【００４１】
また、第２位置Ｃにおける第２連通口６４ｂ及び第２被連通口６４ｃの下端Ｕと、第１位置Ａにおける第１連通口６３ｂ及び第１被連通口６３ｃの上端Ｔとは、設置時に同一水平位置に位置している。
【００４２】
接続管本体６５における上流管６３の上流口６３ａ内には略円筒状のオリフィス部材６７が設けられている。オリフィス部材６７の下端は、オリフィスを形成するように小径にされている。また、上流管６３の上流口６３ａ回りにはパッキン６８が装着されている。案内管６２はこのパッキン６８を介して上流口６３ａ及びオリフィス部材６７に挿入されることで上流管６３に接続される。
【００４３】
一方、この洋風水洗式便器が据え置かれる床面Ｆには、上端に床排水口７０ａをもつ床排水管７０が立ち上げられている。また、床面Ｆには床排水接続部材７１が固定されている。
【００４４】
この床排水接続部材７１の底面には、大径用の床排水口７０ａと整合する第１凹部７１ａと、小径用の床排水口７０ａと整合する第２凹部７１ｂとが同心に凹設されている。また、床排水接続部材７１の上面には排水接続管の下流管６４と嵌合する接続口７１ｃが第１凹部７１ａ及び第２凹部７１ｂと同心に形成されている。こうして、下流管６４の下流口６４ｄと床排水管７０の床排水口７０ａとは、床排水接続部材７１の接続口７１ｃ及び第１凹部７１ａ又は第２凹部７１ｂを介して直線状に接続されている。さらに、床排水接続部材７１の上面には接続管本体６５の第１連通口６３ｂ及び第１被連通口６３ｃ近傍を支持する支持部７１ｄが形成されている。
【００４５】
図１に示すように、便器洗浄装置１００は水道管と接続されており、便器洗浄装置１００は開閉弁１０１を介して便器本体１のリム３に設けられたノズルに接続されている。また、吸気装置２００は、作動によって負圧を生じる負圧発生装置２０２と、この負圧発生装置２０２と開閉弁２０３を介して接続された吸引タンク２０１とを有している。
【００４６】
以上のように構成された洋風水洗式便器では、便器洗浄装置１００によってリム３に洗浄水が供給される。このため、便器本体１では、上昇流路２ｂによって洗浄水が封水となる第１の水封部４ａが便鉢２に形成されるとともに、第１下降流路６５ａと再上昇流路６５ｂとによって第２の水封部４ｂが接続管本体６５に形成される。第２の水封部４ｂは、第２位置Ｃにおける第２連通口６４ｂ及び第２被連通口６４ｃの下端Ｕと、第１位置Ａにおける第１連通口６３ｂ及び第１被連通口６３ｃの上端Ｔとが設置時に同一水平位置であるため、洗浄水が滞留する滞留部のうち、洗浄水が封水となるものである。このため、第１の水封部４ａと第２の水封部４ｂとの間は閉鎖空間となっている。そして、この洋風水洗式便器では、吸気装置２００によって第１下降流路６５ａ内の空気を吸引する。
【００４７】
これによって第１の水封部４ａに確実にサイホン作用を生じ、第１の水封部４ａ内の汚物は、便器本体１の便器排水口２ｄ、案内管６２の第１案内口６２ｃ及び第２案内口６２ｄ、上流管６３の上流口６３ａ、第１下降流路６５ａ、第１連通口６３ｂ、第１被連通口６３ｃ及び再上昇流路６５ｂの上流側、並びに下流管６４における再上昇流路６５ｂの下流側、第２連通口６４ｂ、第２被連通口６４ｃ及び第２下降流路６５ｃを経て下流口６４ｄに至り、床排水口７０ａから床排水管７０に排出されることとなる。
【００４８】
特に、この洋風水洗式便器では、案内管６２内の案内流路６２ａが便鉢２から遠ざかる方向に延びているため、第１の水封部４ａ内の洗浄水が上昇流路２ｂ及び便器排水口２ｄを経て加速度をもって案内流路６２ａに至ることとなる。また、接続管本体６５の第１下降流路６５ａも便鉢２から遠ざかる方向に延びているため、第１の水封部４ａ内の洗浄水が上昇流路２ｂ、便器排水口２ｄ及び案内流路６２ａを経て加速度をもって第１下降流路６５ａに至る。これにより、汚物が特に排出され易い。
【００４９】
ここで、この洋風水洗式便器は、第１下降流路６５ａ、再上昇流路６５ｂ及び第２下降流路６５ｃがとぐろを巻いていることから、前後長が従来よりも短くなっている。また、排水接続管本体６５の上流口６３ａ及び下流口６４ｄが設置時に便器本体１の前後方向に整列し、かつ上方から見て同心であるため、洋風水洗式便器の横幅及び前後長が確実に小さくなっている。
【００５０】
また、この洋風水洗式便器では、第１下降流路６５ａの上流口６３ａと床排水口７０ａとが近くても、便器本体１の上面を上方に位置させるまでもなく、第１下降流路６５ａ、再上昇流路６５ｂ及び第２下降流路６５ｃを収納している。このため、洋風水洗式便器の高さが抑制されている。
【００５１】
したがって、この排水接続管によれば、トイレスペースの広大化を実現することができるできるとともに、使用者の容易な使用を確保可能である。
【００５２】
また、この洋風水洗式便器では、便器本体１は、便鉢２の下端に形成された流入口２ａから便器排水口２ｄまで延びる上昇流路２ｂを有するものに過ぎない。また、排水接続管は、案内管６２と接続管本体６５とからなり、便器本体１とは別体である。このため、便器本体１が簡易なものであり、製造コストの低廉化を実現できる。
【００５３】
この洋風水洗式便器を床面Ｆに据え置く場合には、まず便器本体１に案内管６２を固定する。この際、便器排水口２ｄが後方に向けて形成されているため、便器排水口２ｄと案内管６２とを容易に接続することが可能である。また、上流管６３と下流管６４とを床面Ｆに施工する。そして、上流管６３の上流口６３ａにオリフィス部材６７及びパッキン６８を装着する。なお、上流管６３にパッキン６８を予め組み付けておくことも可能である。この後、便器本体１及び案内管６２を床面Ｆに載置すれば、案内管６２を上流管６３に容易に接続することが可能である。また、オリフィス部材６７を容易に排水流路に設けることが可能になる。なお、本発明は、案内管６２、上流管６３及び下流管６４が一体のものであってもよい。
【００５４】
また、この洋風水洗式便器では、上流管６３と下流管６４とが接続口６３ｄ及び被接続口６４ａで分割されることとなるが、上流管６３と下流管６４とを直線状に接続できるため、上流管６３と下流管６４との接続を確実に行うことができる。
【００５５】
さらに、この洋風水洗式便器では、第２下降流路６５ｃに手洗器からの排水管６９が接続されているため、排水管６９内の汚水を排出するための配管が不要であるとともに、その汚水が滞留することなく、好適に排出されることとなる。
【実施例２】
【００５６】
実施例２の洋風水洗式便器は接続管本体の形状を変更したものである。図５及び図６に示すように、この接続管本体８１は上流管８２と下流管８３とからなる。
【００５７】
上流管８２は、上端に水平に開口する上流口８２ａが形成され、上流口８２ａから設置時に上流口８２ａより低い中間位置Ｄまで延び、他端に斜め下方に開口する接続口８２ｂが形成されたものである。
【００５８】
下流管８３は、一端に斜め上方に開口する被接続口８３ａが形成され、被接続口８３ａから設置時に中間位置Ｄより低い第１位置Ｅの第１連通口８３ｂまで延び、第１連通口８３ｂと一体の第１被連通口８３ｃで湾曲し、中間位置Ｄより高い第２位置Ｆの第２連通口８３ｄで延び、第２連通口８３ｄと一体の第２被連通口８３ｅで湾曲し、他端で下方に開口する下流口８３ｆが形成されたものである。
【００５９】
上流管８２と下流管８３とは、接続口８２ｂ及び被接続口８３ａ回りに設けた接続部材８４によって一体に接続され、接続管本体８１とされている。他の構成は実施例１と同様である。
【００６０】
この接続管本体８１を用いた洋風水洗式便器では、接続口８２ｂ及び被接続口８３ａが第１位置Ｅより高いことから、接続口８２ｂ及び被接続口８３ａからの洗浄水の漏れを防止することが可能である。他の作用効果は実施例１と同様である。
【００６１】
以上において、本発明を実施例１、２に即して説明したが、本発明は上記実施例１、２に制限されるものではなく、その趣旨を逸脱しない範囲で適宜変更して適用できることはいうまでもない。
【００６２】
例えば、便器本体が案内流路を有していても良い。この場合、案内流路の下流が便器排水口となる。
【００６３】
また、便鉢の下端に便器排水口を設け、上昇流路を便器本体とは別体の配管によって構成することも可能である。この場合、本発明の排水接続管にその配管を含ませることが可能である。
【産業上の利用可能性】
【００６４】
本発明は水洗式便器に利用可能である。
【図面の簡単な説明】
【００６５】
【図１】実施例１の洋風水洗式便器の模式図である。
【図２】実施例１の接続管本体の斜視図である。
【図３】実施例１の接続管本体の背面図である。
【図４】実施例１の接続管本体の断面図である。
【図５】実施例２の接続管本体の斜視図である。
【図６】実施例２の接続管本体の斜視図である。
【符号の説明】
【００６６】
１…便器本体
２…便鉢
４ａ…水封部（第１の水封部）
２ｄ…便器排水口
Ｆ…床面
７０…床排水管
７０ａ…床排水口
６３ａ…上流口
Ａ、Ｅ…第１位置
６３ｂ、８３ｂ…第１連通口
６５ａ…第１下降流路
６３ｃ、８３ｃ…第１被連通口
Ｃ、Ｆ…第２位置
６４ｂ、８３ｄ…第２連通口
６５ｂ…上昇流路（再上昇流路）
６４ｃ、８３ｅ…第２被連通口
６４ｄ、８３ｆ…下流口
６５ｃ…第２下降流路
Ｕ…第２位置における第２連通口及び第２被連通口の下端
Ｔ…第１位置における第１連通口及び第１被連通口の上端
６５、８１…接続管本体
６３ｄ、８２ｂ…接続口
６３、８２…上流管
６４ａ、８３ａ…被接続口
６４、８３…下流管
２ａ…流入口
２ｂ…上昇流路
６２ｃ…第１案内口
６２ｄ…第２案内口
６２ａ…案内流路
６２…案内管
６７…オリフィス部材
６９…排水管
【図１】
2008266945.tif 000003
【図２】
2008266945.tif 000004
【図３】
2008266945.tif 000005
【図４】
2008266945.tif 000006
【図５】
2008266945.tif 000007
【図６】
2008266945.tif 000008